(57)【特許請求の範囲】
【請求項１】
上面に作業面を有する天板と、
床面上に互いに離間して配置された一対のベース部と、
各前記ベース部から上方に延び、前記天板の高さを調整可能に支持する脚部と、
前記脚部間に渡って設けられる機能部材と、を備え、
該機能部材は、
第一カバーと、
第二カバーと、を有し、
前記第一カバーは、
一の前記脚部における他の前記脚部と反対側の面に沿う第一当接部と、
前記他の脚部における前記一の脚部と反対側の面に沿う第二当接部と、
前記第一当接部と前記第二当接部とを、前記一の脚部と前記他の脚部とを結ぶ脚部間方向に連結する連結部と、を有し、
前記連結部は、前記一の脚部及び前記他の脚部の前記脚部間方向と直交する直交方向の少なくとも一方の面に当接し、
前記第二カバーは、前記一の脚部及び前記他の脚部の前記脚部間方向と直交する直交方向の他方の面に当接し、
前記第一カバー及び前記第二カバーのいずれか一方に係止孔が形成され、
前記第一カバー及び前記第二カバーの他方に前記係止孔に係止される係止部が設けられていることを特徴とする天板昇降式什器。
【請求項２】
前記連結部は、前記脚部間に配置され、鉛直面に沿うパネル状に形成されたパネル部を有することを特徴とする請求項１に記載の天板昇降式什器。
【請求項３】
互いに対向配置される一対の前記天板と、
前記天板が対向する対向方向に延びるとともに、前記天板の前記対向方向と直交する水平方向の幅方向に離間して配置された一対の前記ベース部と、
各該ベース部の前記対向方向の両側からそれぞれ上方に延び、前記天板の各高さを調整可能に支持する一対の前記脚部と、
複数の前記脚部のうち、前記対向方向に沿って配置される前記脚部間に渡って設けられる前記機能部材と、を備えることを特徴とする請求項１または２に記載の天板昇降式什器。
【発明の詳細な説明】
【技術分野】
【０００１】
本発明は、昇降式の天板を備えたデスク装置、テーブル装置、カウンター装置等の天板昇降式什器に関する。
【背景技術】
【０００２】
一般的に、オフィスや病院等の公共施設等の執務空間においては、執務者に作業エリアを提供するためにデスク、テーブル、作業台、実験台等の天板付什器が配設されている。天板付什器の天板の高さについて、執務者の体格や性別、嗜好により作業のし易い高さが個々により大きく異なる。天板の高さが一定の場合にはこのような実情に対応できないため、天板の高さを上下方向に変更可能とした天板昇降式什器が使用されている。こうした天板昇降式什器を用いることにより、執務者の要望に応じた天板の高さの作業エリアを提供することができ、作業効率を向上するとともに、執務者の体への負荷を低減することができる。
【０００３】
天板の高さを上下方向に変更するための手段としては、ガススプリングを用いる方法、ギアを用いる方法等が提案されている（例えば、下記特許文献１及び２参照）。これらの方法によれば、比較的簡易的な構造とし、コストを安く抑えることができる。また、執務者の操作性を良好にするために電動式の昇降機構ユニットを用いる方法が多く採用されている（例えば、下記特許文献３から５参照）。この方法によれば、執務者が容易な操作で天板の高さを変更できる。
【０００４】
ところで、天板を安定的に支持するために、床面に複数の脚部が設置され、複数の脚部で天板を支持させた天板付什器が一般的に知られている。
【先行技術文献】
【特許文献】
【０００５】
【特許文献１】特許第３３７１９５９号公報
【特許文献２】特許第３３９１２８５号公報
【特許文献３】登録実用新案第３１６４７３９号公報
【特許文献４】特開２０１４−１１３５０５号公報
【特許文献５】特許第５７１８５０３号公報
【特許文献６】特開２０１４−２１７７４０号公報
【発明の概要】
【発明が解決しようとする課題】
【０００６】
しかしながら、複数の脚部が天板を支持する什器において、脚部間が開放されていると、執務者の下肢が周囲から見えてしまい、執務者によって不快に感じる者がいる。このような執務者に対応するために、複数の脚部間に視線を遮る幕板を設けると、周囲から下肢が見えないようにすることができるが、執務者の中には閉塞感を感じてしまう者もいる。このため、執務者の要望等に応じて幕板を脚部間に取り付けることが好ましいが、幕板を螺子止め等で脚部に取り付けると、幕板を取り外した際に脚部に螺子孔等の加工が露出して体裁が悪いため、脚部に加工を施さずに幕板を取り付けることが望まれている。
また、脚部間にオプション部材を設けたり、脚部間に補強部材を設けて什器の強度を向上させることが望まれている。
このように、脚部間に、幕板、オプション部材、補強部材等の何らかの機能を持たせて部材を設けることが望まれている。しかしながら、天板昇降式什器では、脚部の長さが変化するため、脚部に機能部材を設けることが困難である。
【０００７】
本発明は、上記事情に鑑みてなされたものであり、脚部に加工を施さずに脚部間に機能部材を取り付け可能な天板昇降式什器を提供するものである。
【課題を解決するための手段】
【０００８】
上記目的を達成するために、本発明は以下の手段を採用している。
すなわち、本発明に係る天板昇降式什器は、上面に作業面を有する天板と、床面上に互いに離間して配置された一対のベース部と、各前記ベース部から上方に延び、前記天板の各高さを調整可能に支持する脚部と、前記脚部間に渡って設けられる機能部材と、を備え、該機能部材は、第一カバーと、第二カバーと、を有し、前記第一カバーは、一の前記脚部における他の前記脚部と反対側の面に沿う第一当接部と、前記他の脚部における前記一の脚部と反対側の面に沿う第二当接部と、前記第一当接部と前記第二当接部とを、前記一の脚部と前記他の脚部とを結ぶ脚部間方向に連結する連結部と、を有し、前記連結部は、前記一の脚部及び前記他の脚部の前記脚部間方向と直交する直交方向の少なくとも一方の面に当接し、前記第二カバーは、前記一の脚部及び前記他の脚部の前記脚部間方向と直交する直交方向の他方の面に当接し、前記第一カバー及び前記第二カバーのいずれか一方に係止孔が形成され、前記第一カバー及び前記第二カバーの他方に前記係止孔に係止される係止部が設けられていることを特徴とする。
【０００９】
このように構成された天板昇降式什器では、一対のベース部は、床面上に互いに離間して配置されている。各ベース部には、上方に延び、天板の高さを調整可能に支持する脚部が設けられている。脚部間に渡って設けられる機能部材は、一の脚部における他の脚部と反対側の面及び他の脚部における一の脚部と反対側の面に沿うことにより、脚部間方向への移動が規制されている。よって、機能部材は脚部間方向への移動が規制されつつ脚部間に渡って設けられるため、脚部に加工を施さずに脚部間に機能部材を取り付けることができる。
また、第一当接部が一の脚部における他の脚部と反対側の面に沿って当接することで、機能部材の他の脚部側（脚部間方向の一方側）への移動が規制される。また、第二当接部が他の脚部における一の脚部と反対側の面に沿って当接することで、機能部材の一の脚部側（脚部間方向の他方側）への移動が規制される。これら第一当接部及び第二当接部は連結部により連結されているため、第一当接部及び第二当接部の脚部への当接状態を維持することができる。
また、連結部が一の脚部及び他の脚部の前記脚部間方向と直交する直交方向の少なくとも一方の面に沿って当接することで、機能部材の幅方向の一方側への移動が規制される。
また、第一当接部、第二当接部及び連結部を有する第一カバーには、係止孔が形成されている。また、一の脚部及び他の脚部の直交方向の他方の面に沿い脚部間方向に延びる第二カバーには、係止孔に係止される係止部が設けられている。よって、第二カバーの係止部を第一カバーの係止孔に係止させる簡易な構成で、脚部の側方に機能部材を設けることができる。
【００１４】
また、本発明に係る天板昇降式什器では、前記連結部は、前記脚部間に配置され、鉛直面に沿うパネル状に形成されたパネル部を有していてもよい。
【００１５】
このように構成された天板昇降式什器では、連結部は、脚部間に配置され、鉛直面に沿うパネル状に形成されたパネル部を有する。よって、パネル部により、脚部間を閉塞することができる。
【００１８】
また、本発明に係る天板昇降式什器は、互いに対向配置される一対の前記天板と、前記天板が対向する対向方向に延びるとともに、前記天板の前記対向方向と直交する水平方向の幅方向に離間して配置された一対の前記ベース部と、各該ベース部の前記対向方向の両側からそれぞれ上方に延び、前記天板の各高さを調整可能に支持する一対の前記脚部と、複数の前記脚部のうち、前記対向方向に沿って配置される前記脚部間に渡って設けられる前記機能部材と、を備えていてもよい。
【００１９】
このように構成された天板昇降式什器では、ベース部は、床面に設置され、天板が対向する対向方向に延びている。また、ベース部は、天板の幅方向に離間して一対配置されている。各ベース部には、対向方向の両側からそれぞれ上方に延び、天板の各高さを調整可能に支持する一対の脚部が設けられている。これにより、天板及び天板に作用する荷重を、ベース部の対向方向の両側から延びる脚部が支持する。よって、ベース部の対向方向の両側で天板及び天板に作用する荷重を支持することができるため、脚部及びベース部が天板を安定的に支持することができる。
また、一対の脚部間に渡って設けられる機能部材は、一の脚部における他の脚部と反対側の面及び他の脚部における一の脚部と反対側の面に沿うことにより、対向方向への移動が規制されている。よって、機能部材は対向方向への移動が規制されつつ脚部間に渡って設けられるため、脚部に加工を施さずに一対の脚部の側方に機能部材を取り付けることができる。
【発明の効果】
【００２０】
本発明に係る天板昇降式什器によれば、脚部が天板を安定的に支持できるとともに、脚部に加工を施さずに脚部の側方に機能部材を取り付けることができる。
【図面の簡単な説明】
【００２１】
【図１】本発明の一実施形態に係る天板昇降式什器の斜視図である。
【図２】本発明の一実施形態に係る天板昇降式什器の脚部に取り付けられた機能部材の分解斜視図である。
【図３】本発明の一実施形態に係る天板昇降式什器の脚部の水平断面図（図４のＢ−Ｂ断面図）である。
【図４】本発明の一実施形態に係る天板昇降式什器の脚部の縦断面図（図３のＡ−Ａ断面図）である。
【図５】本発明の一実施形態の変形例１に係る天板昇降式什器の斜視図である。
【図６】本発明の一実施形態の変形例１に係る天板昇降式什器の機能部材の分解斜視図である。
【図７】本発明の一実施形態の変形例２に係る天板昇降式什器の斜視図である。
【図８】本発明の一実施形態の変形例３に係る天板昇降式什器の斜視図である。
【図９】本発明の一実施形態の変形例３に係る天板昇降式什器の脚部に取り付けられた機能部材の分解斜視図である。
【発明を実施するための形態】
【００２２】
以下、本発明の天板昇降式什器の実施形態の一例としてデスク装置について、図面を参照して説明する。
図１は、本発明の一実施形態に係る天板昇降式什器の斜視図である。
図１に示すように、デスク装置１０は、床面Ｆに設置される脚体１１と、脚体１１に支持された一対の天板２０Ａ，２０Ｂと、脚体１１に装着されたサイドパネル（機能部材）３と、を備えている。
【００２３】
デスク装置１０では、複数の利用者が、それぞれ天板２０Ａ，２０Ｂに対向して作業を行うことができる。
ここで、以下の説明において、天板２０Ａ，２０Ｂが互いに対向する方向（利用者が対向する方向）を対向方向（または天板２０Ａ，２０Ｂの対向方向、脚部間方向）と、対向方向と直交する水平方向を幅方向（または天板２０Ａ，２０Ｂの幅方向、直交方向）、デスク装置１０が設置される床面Ｆに直交する方向を上下方向と適宜称する。対向方向及び幅方向のうち、離間する側を外側、近接する側を内側と適宜称する。
【００２４】
脚体１１は、天板２０Ａ，２０Ｂの幅方向の両端部に離間して配置された一対の脚ユニット１１Ａ，１１Ｂを有している。
【００２５】
各脚ユニット１１Ａ，１１Ｂは、床面Ｆに沿って設けられるベース部材（ベース部）１２と、各ベース部材１２の上部に設けられて上下方向に延び天板２０Ａ，２０Ｂを支持する一対の支持脚部材（脚部）１３と、を有している。
【００２６】
各ベース部材１２は、天板２０Ａ，２０Ｂの対向方向に沿って延びている。ベース部材１２の下面には、床面Ｆに設置するアジャスタ１２ｆが，天板２０Ａ，２０Ｂの対向方向に離間して複数設けられている。各アジャスタ１２ｆは、ベース部材１２から下方への突出寸法が調整可能である。これにより、ベース部材１２の高さおよび水平レベルを調整できるようになっている。
【００２７】
図２は、デスク装置１０の支持脚部材１３に取り付けられたサイドパネル３の分解斜視図である。
図１及び図２に示すように、各支持脚部材１３は、各ベース部材１２の上面１２ｕにおいて、ベース部材１２の長さ方向（天板２０Ａ，２０Ｂの対向方向）両端部に設けられている。
【００２８】
各支持脚部材１３は、ベース部材１２の上面１２ｕに固定された第一筒部１３ｘと、第一筒部１３ｘ内に上下方向に移動可能に挿入された第二筒部１３ｙと、第二筒部１３ｙ内に上下方向に移動可能に挿入された第三筒部１３ｚと、を有している。
【００２９】
第一筒部１３ｘ、第二筒部１３ｙ、第三筒部１３ｚは、それぞれ角筒状をなしている。各支持脚部材１３は、図示しない伸縮駆動装置によって、第一筒部１３ｘに対し、第二筒部１３ｙ、第三筒部１３ｚが上下方向に沿って出没することで、天板２０Ａ，２０Ｂの上下方向の長さが調整可能となっている。
【００３０】
図１に示すように、天板２０Ａ，２０Ｂは、それぞれ上面が作業面とされた平面視長方形をなしている。天板２０Ａ，２０Ｂは、平面視した状態で、それぞれの短辺方向において互いに対向している。
【００３１】
天板２０Ａ，２０Ｂの幅方向の両端部の下面には、対向方向に延びる支持ブラケット２３が設けられている。天板２０Ａ，２０Ｂは、支持ブラケット２３を介して、幅方向両端部に位置する脚体１１の第三筒部１３ｚの上端に連結されている。
【００３２】
また、天板２０Ａ，２０Ｂの幅方向両側には、各天板２０Ａ，２０Ｂを上下に貫通する配線挿通孔（不図示。以下同じ。）が設けられている。配線挿通孔には、配線キャップ２４が嵌合されている。
【００３３】
さらに、デスク装置１０は、支持脚部材１３の動作を制御する制御ユニット（不図示。以下同じ。）と、制御ユニットに昇降動作信号を入力するための操作部１９と、を備えている。
制御ユニットは、例えば、天板２０Ａ，２０Ｂの下面等に固定されている。この制御ユニットには、デスク装置１０が配置される執務空間に設けられた商用電源に接続される電源ケーブル（不図示。以下同じ。）が接続されている。
【００３４】
操作部１９は、天板２０Ａ，２０Ｂの利用者が対向する側の下面に設けられている。操作部１９は、制御ユニットに、配線ケーブル（不図示。以下同じ。）を介して電気的に接続されている。
【００３５】
利用者が操作部１９に対して所定の操作を入力すると、操作部１９から配線ケーブルを介し、制御ユニットに操作信号が送信される。制御ユニットは、操作部１９から操作信号を受信すると、受信した信号に基づいて支持脚部材１３に昇降動作を実行させる指令信号を出力する。各支持脚部材１３は、指令信号を受信すると、その指令信号に応じて、例えば各支持脚部材１３に内蔵された伸縮駆動装置（不図示）によって伸縮駆動され、これによって天板２０Ａ，２０Ｂの高さの調整がなされる。
【００３６】
サイドパネル３は、脚ユニット１１Ａ，１１Ｂの下部に装着されている。本実施形態では、図２に示すように、サイドパネル３は、支持脚部材１３の第一筒部１３ｘに装着されている。
【００３７】
各サイドパネル３は、支持脚部材１３の外側（天板２０Ａ，２０Ｂの幅方向の外側）に装着される外側カバー（第一カバー）３０と、支持脚部材１３の内側（天板２０Ａ，２０Ｂの幅方向の内側）に装着される内側カバー（第二カバー）５０と、を有している。
【００３８】
図３は、デスク装置１０の支持脚部材１３の水平断面図（図４のＢ−Ｂ断面図）である。図４は、デスク装置１０の支持脚部材１３の縦断面図（図３のＡ−Ａ断面図）である。
図３に示すように、外側カバー３０は、カバー本体（連結部）３１と、カバー本体３１に連結され支持脚部材１３の第一筒部１３ｘに当接する移動規制部材（連結部）４１と、を有している。
【００３９】
カバー本体３１は、支持脚部材１３の幅方向の外側に配置された板状部（パネル部）３２と、板状部３２の両端部から折曲された傾斜壁部３３と、を有している。板状部３２は、支持脚部材１３と天板２０Ａ，２０Ｂの幅方向に間隔を有して配置されている。傾斜壁部３３は、板状部３２における天板２０Ａ，２０Ｂの対向方向の両端部から折曲されている。傾斜壁部３３は、天板２０Ａ，２０Ｂの幅方向の内側に向かうにしたがって、天板２０Ａ，２０Ｂの対向方向の外側に向かうように形成されている。傾斜壁部３３は、支持脚部材１３と間隔を有して配置されている。
【００４０】
さらに、カバー本体３１は、傾斜壁部３３の端部から天板２０Ａ，２０Ｂの幅方向に延びる前壁部３４と、前壁部３４の端部から天板２０Ａ，２０Ｂの対向方向に延びる側壁部３５と、を有している。前壁部３４は、傾斜壁部３３における天板２０Ａ，２０Ｂの幅方向の内側の端部から折曲されている。側壁部３５は、前壁部３４における天板２０Ａ，２０Ｂの幅方向の内側の端部から折曲されている。
【００４１】
さらに、カバー本体３１は、側壁部３５の端部から天板２０Ａ，２０Ｂの幅方向に延びる壁部３６と、壁部３６の端部から天板２０Ａ，２０Ｂの対向方向に延びる取付壁部３７と、を有している。壁部３６は、側壁部３５における天板２０Ａ，２０Ｂの対向方向の内側の端部から折曲されている。取付壁部３７は、壁部３６における天板２０Ａ，２０Ｂの幅方向の外側の端部から折曲されている。これら前壁部３４、側壁部３５及び壁部３６は、支持脚部材１３と天板２０Ａ，２０Ｂの対向方向に間隔を有して配置されている。本実施形態では、これら板状部３２、傾斜壁部３３、前壁部３４、側壁部３５、壁部３６及び取付壁部３７は、板金等により一体的に形成されている。
【００４２】
図４に示すように、取付壁部３７には、板厚方向（天板２０Ａ，２０Ｂの幅方向）に貫通する係止孔３７ｘが、上下方向に間隔を有して３箇所に設けられている。係止孔３７ｘには、後述する内側カバー５０の係止爪部（係止部）５５が係止されている。また、取付壁部３７には、板厚方向（天板２０Ａ，２０Ｂの幅方向）に貫通する螺合孔（不図示。以下同じ。）が、上下方向に間隔を有して２箇所に設けられている。螺合孔には、カバー本体３１と後述する移動規制部材４１とを連結するための螺子３７ｓが螺合されている。
【００４３】
図３に示すように、移動規制部材４１は、カバー本体３１の取付壁部３７に沿う取付壁部４２と、取付壁部４２の端部から天板２０Ａ，２０Ｂの幅方向に延びる当接壁部（第一当接部、第二当接部）４３と、を有している。取付壁部４２は、天板２０Ａ，２０Ｂの対向方向に延びている。当接壁部４３は、取付壁部４２における天板２０Ａ，２０Ｂの対向方向の内側の端部から折曲されている。当接壁部４３は、支持脚部材１３の外面（他の支持脚部材と反対側の面）１３ａに沿って配置されている。
【００４４】
取付壁部４２には、板厚方向（天板２０Ａ，２０Ｂの幅方向）に貫通する螺合孔（不図示。以下同じ。）が、上下方向に間隔を有して２箇所に設けられている。カバー本体３１の取付壁部３７の螺合孔から挿通された螺子３７ｓが、取付壁部４２の螺合孔に螺合されている。これにより、カバー本体３１と移動規制部材４１とは、連結されている。
【００４５】
さらに、移動規制部材４１は、当接壁部４３の端部から天板２０Ａ，２０Ｂの対向方向に延びる当接壁部４４と、当接壁部４４の端部から天板２０Ａ，２０Ｂの幅方向に延びる壁部４５と、を有している。当接壁部４４は、当接壁部４３における天板２０Ａ，２０Ｂの幅方向の外側の端部から、支持脚部材１３の角部１３ｆに沿って折曲されている。当接壁部４４は、支持脚部材１３の外面（天板２０Ａ，２０Ｂの幅方向の外側の面）１３ｂに沿って配置されている。壁部４５は、当接壁部４４における天板２０Ａ，２０Ｂの対向方向の内側の端部から折曲されている。
【００４６】
さらに、移動規制部材４１は、壁部４５の端部から天板２０Ａ，２０Ｂの対向方向に延びる壁部４６と、壁部４６の端部から天板２０Ａ，２０Ｂの幅方向に延びる取付壁部４７と、を有している。壁部４６は、壁部４５における天板２０Ａ，２０Ｂの幅方向の外側の端部から折曲されている。取付壁部４７は、壁部４６における天板２０Ａ，２０Ｂの対向方向の内側の端部から折曲されている。本実施形態では、これら取付壁部４２、当接壁部４３，４４、壁部４５，４６及び取付壁部４７は、板金等により一体的に形成されている。
【００４７】
取付壁部４７には、板厚方向（天板２０Ａ，２０Ｂの対向方向）に貫通する螺合孔４７ｈ（図２参照。以下同じ。）が、上下方向に間隔を有して２箇所に設けられている。螺合孔４７ｈは、後述する内側カバー５０と連結するための螺子５２ｓが螺合されものである。
【００４８】
図２に示すように、カバー本体３１の上端部及び移動規制部材４１の上端部には、上カバー部材４９が設けられている。カバー本体３１の下端部は、ベース部材１２の下面と略同一位置まで延びている。移動規制部材４１の下端部は、カバー本体３１の下端部よりも上方に位置し、ベース部材１２の上面１２ｕに支持されている。
【００４９】
図３に示すように、内側カバー５０は、外側カバー３０の板状部３２に沿う板状部５１と、板状部５１の両端部から天板２０Ａ，２０Ｂの幅方向に延びる当接壁部５２と、を有している。板状部５１は、外側カバー３０の板状部３２における天板２０Ａ，２０Ｂの幅方向の内側の面に沿って配置されている。当接壁部５２は板状部５１における天板２０Ａ，２０Ｂの対向方向の外側の両端部から支持脚部材１３の外面（他の支持脚部材側の面）１３ｃに沿って配置されている。
【００５０】
当接壁部５２には、板厚方向（天板２０Ａ，２０Ｂの対向方向）に貫通する螺合孔５２ｈ（図２参照。以下同じ。）が、上下方向に間隔を有して２箇所に設けられている。この螺合孔５２ｈに螺合された螺子５２ｓが、外側カバー３０の取付壁部４７の螺合孔４７ｈに螺合されている。
【００５１】
さらに、内側カバー５０は、当接壁部５２の端部から天板２０Ａ，２０Ｂの対向方向に延びる当接壁部５３と、当接壁部５３の端部から天板２０Ａ，２０Ｂの幅方向に延びる取付壁部５４と、を有している。当接壁部５３は、当接壁部５２における天板２０Ａ，２０Ｂの幅方向の内側の端部から、支持脚部材１３の角部１３ｇに沿って折曲され、支持脚部材１３の外面（天板２０Ａ，２０Ｂの幅方向の内側の面）１３ｄに沿って配置されている。取付壁部５４は、当接壁部５３における天板２０Ａ，２０Ｂの対向方向の外側の端部から折曲されている。本実施形態では、これら板状部５１、当接壁部５２，５３及び取付壁部５４は、板金等により一体的に形成されている。
【００５２】
図４に示すように、取付壁部５４の端部には、天板２０Ａ，２０Ｂの幅方向の外側に延び、端部が下方を向く係止爪部５５が設けられている。外側カバー３０の係止孔３７ｘの上下方向の長さは、内側カバー５０の係止爪部５５の先端部の上下方向の長さよりも僅かに長いため、係止爪部５５を係止孔３７ｘに挿入して、係止爪部５５の基部を係止孔３７ｘに係止させることができる。この係止爪部５５の係止孔３７ｘへの係止及び内側カバー５０と外側カバー３０との螺子５２ｓによる螺合により、内側カバー５０と外側カバー３０とは連結されている。
【００５３】
図２に示すように、当接壁部５３及び取付壁部５４の下端部は、ベース部材１２の下面と略同一位置まで延びている。板状部５１及び当接壁部５２の下端部は、当接壁部５３及び取付壁部５４の下端部よりも上方に位置し、ベース部材１２の上面１２ｕに支持されている。
【００５４】
次に、上記のサイドパネル３を脚体１１に装着する方法について説明する。
まず、外側カバー３０において、カバー本体３１と移動規制部材４１とは、予め螺子３７ｓにより一体化しておく。そして、外側カバー３０を、脚体１１に対して天板２０Ａ，２０Ｂの幅方向の外側から近づける。外側カバー３０の当接壁部４３を支持脚部材１３の外面１３ａ上を滑らせて、当接壁部４４が外面１３ｂに当接すると外側カバー３０が位置決めされる。このように、外側カバー３０の一対の当接壁部４３間に一対の支持脚部材１３が嵌り込む。この際に、外側カバー３０の移動規制部材４１の下端部はベース部材１２の上面１２ｕに載せられている。
【００５５】
次に、内側カバー５０を、脚体１１に対して天板２０Ａ，２０Ｂの幅方向の内側から近づける。内側カバー５０の係止爪部５５を外側カバー３０の係止孔３７ｘに挿入して、内側カバー５０を下方に移動させると、係止爪部５５の基部が係止孔３７ｘの下部に係止させる。そして、内側カバー５０と外側カバー３０とを螺子５２ｓで連結する。これにより、外側カバー３０と内側カバーとが連結されるとともに、サイドパネル３が一対の脚体１１間に装着される。
【００５６】
サイドパネル３が脚体１１に装着された状態において、外側カバー３０の当接壁部４４が支持脚部材１３の外面１３ｂに当接し、内側カバー５０の当接壁部５３が支持脚部材１３の外面１３ｄに当接することで、サイドパネル３の天板２０Ａ，２０Ｂの幅方向への移動が規制される。
【００５７】
また、外側カバー３０の当接壁部４３が支持脚部材１３の外面１３ａに当接し、内側カバーの当接壁部５２が支持脚部材１３の外面１３ｃに当接することで、サイドパネル３の天板２０Ａ，２０Ｂの対向方向への移動が規制される。
【００５８】
また、外側カバー３０の移動規制部材４１の下端部及び内側カバー５０の板状部５１の下端部並びに当接壁部５２の下端部がベース部材１２の上面１２ｕに支持されることで、サイドパネル３の下方への移動が規制されている。
【００５９】
次に、サイドパネル３を脚体１１から取り外す方法について説明する。
外側カバー３０と内側カバー５０とを螺合している螺子５２ｓを緩める。そして、内側カバー５０を上方に僅かに持ち上げて、外側カバー３０から離間させる方向（天板２０Ａ，２０Ｂの幅方向の内側）に移動させる。これにより、外側カバー３０の係止孔３７ｘから内側カバー５０の係止爪部５５が外れ、内側カバー５０が脚体１１から外れる。
【００６０】
次に、外側カバー３０を、脚体１１から離間させるように、２０Ａ，２０Ｂの幅方向の外側から移動させて、内側カバー５０を脚体１１から外す。以上により、サイドパネル３が脚体１１から取り外される。
【００６１】
このように構成されたデスク装置１では、ベース部材１２は、床面Ｆに設置され、天板２０Ａ，２０Ｂが対向する対向方向に延びている。また、ベース部材１２は、天板２０Ａ，２０Ｂの幅方向に離間して一対配置されている。各ベース部材１２には、対向方向の両側からそれぞれ上方に延び、天板２０Ａ，２０Ｂの各高さを調整可能に支持する一対の支持脚部材１３が設けられている。これにより、天板２０Ａ，２０Ｂ及び天板２０Ａ，２０Ｂに作用する荷重を、ベース部材１２における天板２０Ａ，２０Ｂの対向方向の両側から延びる支持脚部材１３が支持する。よって、ベース部材１２における天板２０Ａ，２０Ｂの対向方向の両側で天板２０Ａ，２０Ｂ及び天板２０Ａ，２０Ｂに作用する荷重を支持することができるため、支持脚部材１３及びベース部材１２が天板２０Ａ，２０Ｂを安定的に支持することができる。
【００６２】
また、一対の支持脚部材１３間に渡って設けられるサイドパネル３は、支持脚部材１３の外面１３ａ，１３ｃに沿う当接壁部４３，５２により、天板２０Ａ，２０Ｂの対向方向への移動が規制されている。また、支持脚部材１３の外面１３ｂ，１３ｄに沿う当接壁部４４，５３により、天板２０Ａ，２０Ｂの幅方向への移動が規制されている。よって、サイドパネル３は対向方向及び幅方向への移動が規制されつつ支持脚部材１３間に渡って設けられるため、支持脚部材１３に加工を施さずに一対の支持脚部材１３の側方にサイドパネル３を取り付けることができる。
【００６３】
また、板状部３２，５１、一対の支持脚部材１３間に配置され、鉛直面に沿うパネル状に形成さているため、一対の支持脚部材１３間を閉塞する幕板として機能する。また、利用者が閉塞感を感じる場合には、サイドパネル３を取り外して、一対の支持脚部材１３間を開放することができる。支持脚部材１３には、サイドパネル３を装着するための加工が施されていないため、サイドパネル３を取り外した状態でも体裁を良好とすることができる。
【００６４】
また、外側カバー３０と内側カバー５０とを連結する際には、外側カバー３０の係止孔３７ｘに内側カバー５０の係止爪部５５を係止させればよいため、簡易な構成で、支持脚部材１３の側方にサイドパネル３を設けることができる。
【００６５】
また、サイドパネル３の板状部３２，５１は、平面視において天板２０Ａ，２０Ｂの幅方向の外側に配置されているため、天板２０Ａ，２０Ｂの下方の空間を幅方向に大きく確保することができる。
【００６６】
また、サイドパネル３により、一対の支持脚部材１３が連結されるため、天板２０Ａ，２０Ｂを支持する脚の剛性が向上し、より一層安定的に天板２０Ａ，２０Ｂを支持することができる。
【００６７】
（変形例１）
上記に示す実施形態の変形例１について、主に図５、図６を用いて説明する。
以下の変形例において、前述した実施形態で用いた部材と同一の部材には同一の符号を付して、その説明を省略する。
図５は、本発明の一実施形態の変形例１に係る天板昇降式什器の斜視図である。図６は、本発明の一実施形態の変形例１に係る天板昇降式什器の機能部材の分解斜視図である。
図５及び図６に示すように、各脚ユニット１１Ａ，１１Ｂにおいて、ベース部材１２の長さ方向の略中央には、上方に延びる中間支持脚６０が設けられている。外側カバー３０の板状部３２は、平面視において天板２０Ａ，２０Ｂの幅方向の外側に配置されているため、ベース部材１２に中間支持脚６０を設けることができる。
【００６８】
また、脚ユニット１１Ａの中間支持脚６０と脚ユニット１１Ｂの中間支持脚６０とは、天板２０Ａ，２０Ｂの幅方向に延びる中間連結体６１により連結されている。中間連結体６１の上部には、鉛直面に沿って延びるパネル状の中間パネル６２が設けられている。
【００６９】
外側カバー３０には、サイドデスク６５が連結されている。サイドデスク６５は、外側カバー３０の上カバー部材４９から上方に延びる一対の連結脚６６と、床面Ｆに設置される一対の支持脚６７と、一対の連結脚６６及び一対の支持脚６７に支持されたサイド天板６８と、を有している。
【００７０】
外側カバー３０に連結される一対の内側カバー５０Ａは、上記に示す実施形態の板状部５１（図２参照）を有していない構成である。つまり、各内側カバー５０Ａは、天板２０Ａ，２０Ｂの対向方向に離間して配置されている。各内側カバー５０Ａは、ｘ当接壁部５２と、当接壁部５３と、取付壁部５４と、を有している。
【００７１】
このように構成されたデスク装置１０Ａでは、一対の支持脚部材１３の側方に設けられる外側カバー３０及び内側カバー５０Ａを介して、支持脚部材１３の側方にサイドデスク６５を設けることができる。
【００７２】
（変形例２）
上記に示す実施形態の変形例２について、主に図７を用いて説明する。
図７は、本発明の一実施形態の変形例２に係る天板昇降式什器の斜視図である。
図７に示すように、本変形例のデスク装置１０Ｂでは、変形例１のデスク装置１０Ａのサイド天板６８（図５参照）にかわって、サイド棚７０が設けられている。サイド棚７０は、天板２０Ａ，２０Ｂの幅方向の外側に開口する箱状に形成された棚本体７１と、棚本体７１の幅方向の中間部に設けられた棚仕切板７２と、を有している。
【００７３】
（変形例３）
上記に示す実施形態の変形例３について、主に図８、図９を用いて説明する。
図８は、本発明の一実施形態の変形例３に係る天板昇降式什器の斜視図である。図９は、本発明の一実施形態の変形例３に係る天板昇降式什器の脚部に取り付けられた機能部材の分解斜視図である。
図８及び図９に示すように、本変形例のデスク装置１０Ｃでは、天板２０が一枚で構成されている。
【００７４】
デスク装置１０Ｃは、床面Ｆに設置される一対のベース部材１２と、各ベース部材１２から上方に延びる支持脚部材１３と、支持脚部材１３の第三筒部１３ｚに支持ブラケット２３を介して支持された天板２０と、を備えている。
【００７５】
機能部材としてのフレームユニット８０が、支持脚部材１３間に設けられている。フレームユニット８０は、第一筒部１３ｘが挿入される筒状部材８１と、隣接する筒状部材８１にかけ渡されるフレーム８６と、を有している。
【００７６】
筒状部材８１は、断面視矩形状をなし、筒状に形成されている。筒状部材８１におけるフレーム８６側の板状部８１ａには、板厚方向に貫通する取付孔８１ｈが形成されている。
【００７７】
取付孔８１ｈは、上下方向に離間して３箇所に形成されている。板状部８１ａの内面には、取付孔８１ｈと連通する裏ナット（不図示。以下同じ。）が溶接等により設けられている。
【００７８】
筒状部材８１の上端部には、第一筒部１３ｘが配置されない側（フレーム８６側）に、水平面に沿う上壁部８２が設けられている。上壁部８２により、筒状部材８１に第一筒部１３ｘが挿通された状態で、筒状部材８１の内部が見えないようになっている。
【００７９】
フレーム８６は、支持脚部材１３間方向に延び、上下方向に離間して配置された一対の横フレーム部８７と、横フレーム部８７の両端部同士をそれぞれ連結する縦フレーム部８８と、を有している。
【００８０】
横フレーム部８７の両端部及び縦フレーム部８８の上下方向中間部には、それぞれ筒状部材８１に向かって貫通する取付孔８６ｈが形成されている。取付孔８６ｈに挿通された螺子８６ｓが、筒状部材８１の取付孔８１ｈに挿通され、裏ナットに螺合されている。これにより、フレーム８６は、筒状部材８１を介して一対の第一筒部１３ｘに取り付けられている。
【００８１】
この状態で、支持脚部材１３が嵌め込まれた各筒状部材８１において、対向する支持脚部材１３と反対側の板状部８１ｂは、対応する第一筒部１３ｘの外面１３ｍと当接している。これにより、フレームユニット８０は、支持脚部材１３間方向の移動が規制される。
【００８２】
また、各筒状部材８１において、対向する支持脚部材１３側の板状部８１ｃ及びフレーム８６と反対側の板状部８１ｄも、対応する第一筒部１３ｘの外面１３ｎ，１３ｑと当接していることが好ましい。これにより、フレームユニット８０のがたつきが防止される。さらに、板状部８１ａの内面には、第一筒部１３ｘのフレーム８６側の面１３ｏと所定距離を維持できるようにスペーサ（不図示）が設けられていることが好ましい。
【００８３】
なお、上述した実施の形態において示した各構成部材の諸形状や組み合わせ等は一例であって、本発明の主旨から逸脱しない範囲において設計要求等に基づき種々変更可能である。
【００８４】
例えば、上記実施形態では、天板付き什器として、デスク装置１０を例示したが、これに限らず、デスク以外の例えばカウンター、テーブル等であってもよい。
【００８５】
また、上記に示す実施形態では、サイドパネル３の当接壁部４３，４４，５２，５３がそれぞれ支持脚部材１３の外面１３ａ，１３ｂ，１３ｃ，１３ｄに当接しているが、本発明はこれに限られない。天板２０Ａ，２０Ｂの対向方向への移動を規制するように、少なくとも支持脚部材１３の外面１３ａに当接していればよい。
【００８６】
また、上記に示す実施形態では、サイドパネル３は、対向する天板２０Ａ，２０Ｂをそれぞれ支持する支持脚部材１３間に設けられているが、本発明はこれに限られない。一の天板２０Ａ（または２０Ｂ）を支持し、天板２０Ａ（または２０Ｂ）の幅方向に隣接配置された支持脚部材１３間に設けられていてもよい。
【００８７】
また、外側カバー３０と内側カバー５０とは、係止孔３７ｘに係止爪部５５が係止されるとともに螺子５２ｓで螺合されているが、いずれか一方のみで連結が可能ならば他方は省略してもよい。
【００８８】
また、外側カバー３０と内側カバー５０とが予め一体化された構成であってもよい。この場合には、天板２０Ａ，２０Ｂを支持脚部材１３から取り外して、一体化されたサイドパネルを上方から移動させ、サイドパネル内に支持脚部材１３を嵌め込めばよい。
【００８９】
また、外側カバー３０は、カバー本体３１と移動規制部材４１とが別体であり互いに螺子３７ｓで連結される構成であるが、一体的に形成されていてもよい。
【００９０】
また、外側カバー３０及び内側カバー５０にはそれぞれパネル状の板状部３２，５１が設けられているが、本発明はこれに限られず、一対の当接壁部４３を連結する部分は、杆状部材（不図示）等により構成されていてもよい。この場合には、当該杆状部材に鞄やボード等の部材を架けることができる。
【符号の説明】
【００９１】
３…サイドパネル（機能部材）
１０，１０Ａ…デスク装置（天板昇降式什器）
１１…脚体
１２…ベース部材（ベース部）
１３…支持脚部材（脚部）
２０Ａ，２０Ｂ…天板
３０…外側カバー（第一カバー）
３１…カバー本体（連結部）
３２…板状部（パネル部）
３７ｘ…係止孔
４１…移動規制部材（連結部）
４３…当接壁部（第一当接部、第二当接部）
４４…当接壁部
５０…内側カバー（第二カバー）
５１…板状部
５２…当接壁部
５３…当接壁部
５５…係止爪部（係止部）
Ｆ…床面
【図１】
0006638155.tif 000002
【図２】
0006638155.tif 000003
【図３】
0006638155.tif 000004
【図４】
0006638155.tif 000005
【図５】
0006638155.tif 000006
【図６】
0006638155.tif 000007
【図７】
0006638155.tif 000008
【図８】
0006638155.tif 000009
【図９】
0006638155.tif 000010